(57)【要約】【課題】ある厚さの記録材束に対応した噛み合い重なり量を有する歯列が他の厚さの記録材束の綴じにも貢献する記録材綴じ装置を提供する。【解決手段】記録材綴じ装置は、第１歯列３８と第２歯列４０に記録材束４２を挟み、これらの歯列により記録材束を挟んで変形させて綴じる。第１歯列３８と第２歯列４０は、噛み合い重なり量が薄い記録材束に対応した第１噛み合い重なり量である第１領域５２と、歯並び方向において第１領域に隣接し、噛み合い重なり量が、第１噛み合い重なり量より大きい厚い記録材束に対応した第２噛み合い重なり量である、第２領域５４とを含む。第１領域５２と第２領域５４の境界付近において、第１領域５２の歯列が厚い記録材束の綴じに貢献し、第２領域５４の歯列が薄い記録材束の綴じに貢献する。【選択図】図２
2018158782.tif 000002
【特許請求の範囲】
【請求項１】
歯並び方向に並んだ複数の歯を有する第１歯列と、
歯並び方向に並んだ複数の歯を有し、第１歯列と噛み合う第２歯列であって、第１歯列と協働して記録材束を挟み記録材を綴じる、第２歯列と、
を含み、
第１歯列と第２歯列は、
第１歯列と第２歯列が噛み合ったときに、歯丈方向において第１歯列に属する歯と第２歯列に属する歯が重なる噛み合い重なり量が第１噛み合い重なり量である、第１領域と、
歯並び方向において第１領域に隣接し、噛み合い重なり量が、第１噛み合い重なり量より大きい第２噛み合い重なり量である、第２領域と、
を含む、
記録材綴じ装置。
【請求項２】
歯並び方向において中央に第１領域が位置し、第１領域に隣接する両側に第２領域が位置する、請求項１に記載の記録材綴じ装置。
【請求項３】
２つの第２領域に属する歯の数が第１領域に属する歯の数より少ない、請求項２に記載の記録材綴じ装置。
【請求項４】
第２領域に属する歯の連続数が第１領域に属する歯の連続数より少ない、請求項２に記載の記録材綴じ装置。
【請求項５】
歯並び方向において中央に第２領域が位置し、第２領域に隣接する両側に第１領域が位置する、請求項１に記載の記録材綴じ装置。
【請求項６】
２つの第１領域に属する歯の数が第２領域に属する歯の数より少ない、請求項５に記載の記録材綴じ装置。
【請求項７】
第１領域に属する歯の連続数が第２領域に属する歯の連続数より少ない、請求項５に記載の記録材綴じ装置。
【請求項８】
歯並び方向に並んだ複数の歯を有する第１歯列と、
歯並び方向に並んだ複数の歯を有し、第１歯列と噛み合う第２歯列であって、第１歯列と協働して記録材束を挟み記録材を綴じる、第２歯列と、
を含み、
第１歯列と第２歯列の少なくとも一方は、第１歯丈を有する歯から形成された低歯領域と、第１歯丈より高い第２歯丈を有する歯から形成された高歯領域と、
を有する、
記録材綴じ装置。
【請求項９】
低歯領域が歯並び方向において中央に位置し、高歯領域が歯並び方向において低歯領域に隣接する両側に位置する、請求項８に記載の記録材綴じ装置。
【請求項１０】
２つの高歯領域に属する歯の数が低歯領域に属する歯の数より少ない、請求項９に記載の記録材綴じ装置。
【請求項１１】
高歯領域に属する歯の連続数が低歯領域に属する歯の連続数より少ない、請求項９に記載の記録材綴じ装置。
【請求項１２】
高歯領域が歯並び方向において中央に位置し、低歯領域が歯並び方向において高歯領域に隣接する両側に位置する、請求項８に記載の記録材綴じ装置。
【請求項１３】
２つの低歯領域に属する歯の数が高歯領域に属する歯の数より少ない、請求項１２に記載の記録材綴じ装置。
【請求項１４】
低歯領域に属する歯の連続数が高歯領域に属する歯の連続数より少ない、請求項１２に記載の記録材綴じ装置。
【発明の詳細な説明】
【技術分野】
【０００１】
本発明は、記録材綴じ装置に関する。
【背景技術】
【０００２】
重ねられた複数枚の記録材を噛み合う対をなす歯列で挟んで圧力を加え、波形状に変形させて互いに結合させる記録材綴じ装置が知られている。このような記録材綴じ装置において、対をなす歯列が噛み合ったとき、それぞれの歯列に属する歯同士が歯丈方向において重なる量（噛み合い重なり量）には、記録材束の厚さに応じた適した値がある。記録材束が薄い場合、噛み合い重なり量は小さくても記録材を波形状に変形させることができる。しかし、噛み合い重なり量が小さい歯列で厚い記録材束を綴じようとすると、記録材同士が結合されるまで十分に記録材を変形させることができない場合がある。記録材束が厚い場合には、噛み合い重なり量が大きい歯列を用いることで対応することができる。一方、噛み合い重なりが大きい歯列で薄い記録材束を綴じようとすると記録材が破れてしまうことがあり、このため記録材同士が結合しない場合がある。
【０００３】
下記特許文献１には、噛み合い重なり量が異なる２対の歯列を並列して設けることにより、記録材束の厚さの違いに対応した装置が記載されている。
【先行技術文献】
【特許文献】
【０００４】
【特許文献１】特開２０１６−７９０００号公報
【発明の概要】
【発明が解決しようとする課題】
【０００５】
対をなす歯列によって記録材束を挟む記録材綴じ装置において、記録材束が薄い場合と厚い場合の双方に対応するために、異なる噛み合い重なり量を有する２対の歯列を並列に設けた場合、それぞれの歯列の対は、対応する厚さの記録材束の綴じにのみ貢献する。
【０００６】
本発明は、ある厚さの記録材束に対応した噛み合い重なり量を有する歯列が他の厚さの記録材束の綴じにも貢献する記録材綴じ装置を提供することを目的とする。
【課題を解決するための手段】
【０００７】
請求項１に係る発明は、歯並び方向に並んだ複数の歯を有する第１歯列と、歯並び方向に並んだ複数の歯を有し、第１歯列と噛み合う第２歯列であって、第１歯列と協働して記録材束を挟み記録材を綴じる、第２歯列と、を含み、第１歯列と第２歯列は、第１歯列と第２歯列が噛み合ったときに、歯丈方向において第１歯列に属する歯と第２歯列に属する歯が重なる噛み合い重なり量が第１噛み合い重なり量である、第１領域と、歯並び方向において第１領域に隣接し、噛み合い重なり量が、第１噛み合い重なり量より大きい第２噛み合い重なり量である、第２領域と、を含む、記録材綴じ装置である。
【０００８】
請求項２に係る発明は、歯並び方向において中央に第１領域が位置し、第１領域に隣接する両側に第２領域が位置する、請求項１に記載の記録材綴じ装置である。
【０００９】
請求項３に係る発明は、２つの第２領域に属する歯の数が第１領域に属する歯の数より少ない、請求項２に記載の記録材綴じ装置である。
【００１０】
請求項４に係る発明は、第２領域に属する歯の連続数が第１領域に属する歯の連続数より少ない、請求項２に記載の記録材綴じ装置である。
【００１１】
請求項５に係る発明は、歯並び方向において中央に第２領域が位置し、第２領域に隣接する両側に第１領域が位置する、請求項１に記載の記録材綴じ装置である。
【００１２】
請求項６に係る発明は、２つの第１領域に属する歯の数が第２領域に属する歯の数より少ない、請求項５に記載の記録材綴じ装置である。
【００１３】
請求項７に係る発明は、第１領域に属する歯の連続数が第２領域に属する歯の連続数より少ない、請求項５に記載の記録材綴じ装置である。
【００１４】
請求項８に係る発明は、歯並び方向に並んだ複数の歯を有する第１歯列と、歯並び方向に並んだ複数の歯を有し、第１歯列と噛み合う第２歯列であって、第１歯列と協働して記録材束を挟み記録材を綴じる、第２歯列と、を含み、第１歯列と第２歯列の少なくとも一方は、第１歯丈を有する歯から形成された低歯領域と、第１歯丈より高い第２歯丈を有する歯から形成された高歯領域と、を有する、記録材綴じ装置である。
【００１５】
請求項９に係る発明は、低歯領域が歯並び方向において中央に位置し、高歯領域が歯並び方向において低歯領域に隣接する両側に位置する、請求項８に記載の記録材綴じ装置である。
【００１６】
請求項１０に係る発明は、２つの高歯領域に属する歯の数が低歯領域に属する歯の数より少ない、請求項９に記載の記録材綴じ装置である。
【００１７】
請求項１１に係る発明は、高歯領域に属する歯の連続数が低歯領域に属する歯の連続数より少ない、請求項９に記載の記録材綴じ装置である。
【００１８】
請求項１２に係る発明は、高歯領域が歯並び方向において中央に位置し、低歯領域が歯並び方向において高歯領域に隣接する両側に位置する、請求項８に記載の記録材綴じ装置である。
【００１９】
請求項１３に係る発明は、２つの低歯領域に属する歯の数が高歯領域に属する歯の数より少ない、請求項１２に記載の記録材綴じ装置である。
【００２０】
請求項１４に係る発明は、低歯領域に属する歯の連続数が高歯領域に属する歯の連続数より少ない、請求項１２に記載の記録材綴じ装置である。
【発明の効果】
【００２１】
請求項１に係る発明によれば、ある厚さの記録材束に対応した噛み合い重なり量を有する歯列が他の厚さの記録材束の綴じにも貢献することができる。
【００２２】
請求項２および５に係る発明によれば、第１領域と第２領域が１つずつの場合に比べ、第１領域と第２領域の境界の数を増やすことができる。
【００２３】
請求項３、４、６および７に係る発明によれば、第１領域に属する歯と第２領域に属する歯が同数の場合に比べて歯列を小さくすることができる。
【００２４】
請求項８に係る発明によれば、ある厚さの記録材束に対応した歯丈を有する歯列が他の厚さの記録材束の綴じにも貢献することができる。
【００２５】
請求項９および１２に係る発明によれば、低歯領域と高歯領域が１つずつの場合に比べ、低歯領域と高歯領域の境界の数を増やすことができる。
【００２６】
請求項１０、１１、１３および１４に係る発明によれば、低歯領域に属する歯と高歯領域に属する歯が同数の場合に比べて歯列を小さくすることができる。
【図面の簡単な説明】
【００２７】
【図１】画像形成システムの概略構成を示す模式図である。
【図２】記録材綴じ装置の歯列の一態様を示す図である。
【図３】噛み合い重なり量ｄの説明図である。
【図４】歯丈と噛み合い重なり量の関係を説明する図である。
【図５】歯丈と噛み合い重なり量の関係を説明する図である。
【図６】低歯領域、高歯領域および遷移領域の関係を説明する図である。
【図７】低歯領域と高歯領域の境界付近の記録材束の動きについて説明する図である。
【図８】記録材綴じ装置の歯列の他の態様を示す図である。
【発明を実施するための形態】
【００２８】
以下、本発明の実施形態を図面に従って説明する。図１は、本実施形態の記録材綴じ装置１０を備えた画像形成システム１２の概略構成を示す模式図である。画像形成システム１２は、例えば電子写真方式による印刷機能や複写機能などを備えた画像形成装置１４と、画像形成装置１４にて画像形成された後の記録材に対して例えば穴あけや綴じなどの後処理を行う記録材後処理装置１６を備えている。本実施形態の記録材綴じ装置１０は、記録材後処理装置１６に搭載され得るものである。
【００２９】
画像形成装置１４は、取得した原稿情報に基づきトナー像を形成する画像形成部１８を有する。原稿情報は、画像形成装置１４が備えた原稿読取り部２０により原稿を読み取って取得してもよく、また外部装置から取得してもよい。画像形成装置１４は、更に記録材送り機構２２を含む。送られる記録材は、長方形にカットされたシート状の記録材であり、材質は例えば紙である。記録材送り機構２２は、積層された記録材を保持する供給トレイ２４と、供給トレイ２４から排出口２６へと記録材を送る搬送路２８を備える。搬送路２８を送られる過程で記録材は画像形成部１８で形成されたトナー像を受け取り、トナー像が定着される。排出口２６から送り出された記録材は、記録材後処理装置１６に受け取られる。
【００３０】
記録材後処理装置１６において、受け取った記録材は、必要に応じて集積トレイ３０上に積層され記録材束が形成される。集積が必要でない場合、記録材は排出トレイ３２に送出される。記録材は、集積トレイ３０上に予め定められた枚数が集積されると、記録材綴じ装置１０により綴じられる。記録材綴じ装置１０は、それぞれ配列された複数の歯を含む対をなす２個の歯型３４，３６を有する。２個の歯型を区別するために、便宜上、図１において上側に位置する歯型を上側歯型３４，下側に位置する歯列を下側歯型３６と記す。２個の歯型３４，３６は、綴じ対象となる記録材を挟んで対向するよう配置されればよく、左右に配置されてもよく、また上側歯型３４を下に、下側歯型３６を上に配置してもよい。
【００３１】
上側歯型３４と下側歯型３６は、一方または双方が駆動機構により相手側の歯型に向けて進退し、進出したときにはそれぞれの歯型の歯列同士が噛み合う。歯列が噛み合うことにより、挟まれた記録材は波形に変形し、相互に押し付けられて、記録材同士が結合して、綴じられる。綴じられた後、記録材束は、排出トレイ３２に送り出される。
【００３２】
図２は、上側歯型３４と下側歯型３６を示す図である。図２中の左右方向に歯が並んでおり、歯列を形成している。上側歯型３４の歯列を上側歯列３８、下側歯型３６の歯列を下側歯列４０と記す。歯が並ぶ方向、すなわち左右方向を「歯並び方向」と記す。また、図２中の上下方向である歯丈の方向を「歯丈方向」と記し、歯並び方向と歯丈方向に直交する方向を「歯幅方向」として以下説明する。
【００３３】
図２において、上側歯型３４と下側歯型３６は互いに離れ、開いた状態にある。開いた状態にある上側歯型３４と下側歯型３６が記録材束４２に相対するよう移動し、そして上側歯型３４と下側歯型３６が閉じられて、記録材束４２が上側歯列３８と下側歯列４０に挟まれて、綴じられる。図２において記録材束４２は、その一部が示されている。記録材束４２が上側歯列３８と下側歯列４０に挟まれると、記録材束４２を構成する積層された記録材は歯並び方向に引き伸ばされつつ波形に変形され、さらに押圧されて、相互に結着する。記録材の変形は、上側歯列３８に属する歯と下側歯列４０に属する歯が互いに噛み込む量に応じて変化する。この歯が互いに噛み込む量を、記録材束を挟まない状態で歯列３８，４０同士を噛み合わせたときの、歯列３８，４０に属する歯同士の重なり量として定める。図３に示すように、歯列３８，４０を記録材を挟まずに噛み合わせたとき、歯列３８，４０に属する歯の歯先の上下方向の距離を「噛み合い重なり量ｄ」とする。
【００３４】
記録材束４２は、何枚かの記録材が重ねられたものであり、記録材束４２の厚さは、重ねられた記録材の枚数が少ない場合は薄く、多い場合は厚くなる。歯列の噛み合い重なり量ｄは、記録材束の厚さに応じて適した値がある。記録材束４２が薄い場合、噛み合い重なり量ｄが大きいと、歯列により挟持されたとき記録材は引き伸ばされて破れ、記録材束を綴じられないことがある。よって、記録材束４２が薄い場合は、小さい重なり噛み合い量が適切である。一方、記録材束４２が厚い場合、重なり噛み合い量ｄが小さいと、記録材を十分に波形に変形させることができず、記録材同士が結合せずに記録材束を綴じられないことがある。よって、記録材束４２が厚い場合は、大きい重なり噛み合い量ｄが適切である。
【００３５】
この記録材綴じ装置１０においては、厚さの異なる記録材束４２に対応するために、下側歯型３６において、異なる歯丈の歯により下側歯列４０を構成している。下側歯列４０の中央部には、低い歯丈ｈsを有する歯（低歯）４６が配列される。低歯４６の両側には高い歯丈ｈtを有する歯（高歯）４８が配列される（ｈs＜ｈt）。上側歯型３４においては、共通の歯丈の歯５０により上側歯列３８が構成されている。上側歯列３８の歯５０の歯丈は、下側歯列の高歯４８の歯丈ｈtとすることができる。以下、下側歯列４０の低歯４６を下側低歯４６、高歯４８を下側高歯４８、上側歯列３８の歯を上側高歯５０と記す。なお、各歯の歯幅については共通である。
【００３６】
図４は、上側歯列３８と歯丈の異なる歯を有する下側歯列４０とを噛み合わせた状態を示す図である。噛み合わせたとき、上側高歯５０と下側低歯４６は小さい重なり噛み合い量ｄsを形成し、上側高歯５０と下側高歯４８は、重なり噛み合い量ｄsより大きな重なり噛み合い量ｄtを形成する（ｄs＜ｄt）。したがって、上側高歯５０と下側低歯４６の組合せは記録材束４２が薄い場合に適し、上側高歯５０と下側高歯４８の組合せは記録材束４２が厚い場合に適する。
【００３７】
歯並び方向において下側低歯４６が存在する範囲は、上側歯列３８と下側歯列４０を噛み合わせたとき、小さい重なりかみ合い量ｈsとなる領域であり、この領域は薄い記録材束４２に対応した領域である。この下側低歯４６により規定される領域を低歯領域５２と記す。また、歯並び方向において下側高歯４８が存在する範囲は、大きい重なりかみ合い量ｈtとなる領域であり、この領域は厚い記録材束４２に対応した領域である。この下側高歯４８により規定される領域を高歯領域５４と記す。低歯領域５２と高歯領域５４の境界は、下側歯列４０においては隣接する下側低歯４６と下側高歯４８の間の歯底で規定され、上側歯列３８においては、前記の歯底に対応する歯の歯先（頂点）または歯並び方向における歯の中心線で規定される。高歯領域５４のもう一方の境界は、下側歯列４０の両端の歯の歯先（頂点）または歯並び方向における歯の中心線で規定される。下側歯列４０の両端の歯の外側の歯面は、記録材束４２の挟持に関係しないので、この歯面は高歯領域５４に含まない。図２の例において、低歯領域５２に属する歯の数は６歯であり、２つある高歯領域５４の一方に属する歯の数は２．５歯である。高歯領域５４全体としては、５（＝２．５＋２．５）歯である。
【００３８】
低歯領域を形成するために、上側歯列３８と下側歯列４０の双方の歯の歯丈を低くしてもよい。図５には、上側歯列３８と下側歯列４０に歯丈ｈmの歯５６，５８を設けた例が示されている。噛み合い重なり量ｄmは、歯５６、歯５８のそれぞれの歯先間の歯丈方向の距離となる。
【００３９】
下側低歯４６と下側高歯４８の歯丈の差は、例えば０．２〜０．３ｍｍである。図５のように、歯列３８，４０の双方に歯丈の低い歯５６，５８を設ける場合、一方の歯列のみ低歯を設けた場合の寸法差を上下の歯列３８，４０の歯に振り分ける。双方に等しく（例えば０．１５ｍｍずつ）振り分けてもよく、また０．１ｍｍと０．２ｍｍなど異なる値で振り分けてもよい。
【００４０】
また、歯列３８，４０の双方に歯丈の低い歯５６，５８を設ける場合、図６に示すように噛み合い重なり量ｄが異なる３つの領域が形成される。高歯４８，５０の歯面で噛み合い重なり量が規定される高歯領域５４と、低歯５６，５８で噛み合い重なり量が規定される低歯領域５２との間に遷移領域６０が形成される。遷移領域６０は、図６に示す高歯５０の右側の歯面の歯先と歯底で規定される。遷移領域６０の噛み合い重なり量は、低歯領域５２と高歯領域５４の中間的な噛み合い重なり量となる。この場合には、便宜的に遷移領域６０の歯並び方向における中央を低歯領域５２と高歯領域５４の境界とする。
【００４１】
図７は、上側歯列３８と下側歯列４０の歯先が記録材束４２に当たったときの状態を示している。この状態から噛み合い状態が更に進むと、高歯領域５４内の記録材が歯列３８，４０に押されて引き伸ばされ、また変形する。このとき、低歯領域５２との境界６２付近では、高歯領域５４内の記録材束４２が低歯領域５２内の記録材束４２を高歯領域５４内に引き込もうとする（矢印Ａ参照）。この結果、高歯領域５４における境界６２近傍においては、高歯のみで構成された歯列の場合に比べ、記録材の伸びが少なくなる。このため、薄い記録材束４２を綴じるとき、記録材束４２を構成する記録材の破れが抑制され、厚い記録材束４２を綴じるための高歯領域５４でも、その一部において薄い記録材束４２の綴じに貢献するようになる。
【００４２】
一方、低歯領域５２における境界６２近傍においては、高歯領域５４内の記録材束４２に引き寄せられて、下側低歯４６と上側高歯５０に噛み込まれる前に記録材束４２の伸びが始まる。このため、低歯領域５２の境界６２近傍においては、低歯のみで構成された歯列の場合に比べ、記録材束４２の伸びが多くなる。厚い記録材束４２を綴じるとき、本来低歯では記録材を十分に伸ばせないところ、より伸ばせるようになり、低歯領域５２でも、その一部において厚い記録材束４２の綴じに貢献するようになる。
【００４３】
このように、低歯領域５２と高歯領域５４を歯並び方向に隣接させることにより、薄い記録材束４２のための低歯領域５２が厚い記録材束４２の綴じにおいても貢献するようになり、また厚い記録材束４２のための高歯領域５４が薄い記録材束４２の綴じにおいても貢献するようになる。したがって、低歯領域５２よりも広い領域が薄い記録材束４２における記録材同士の結着に寄与し、高歯領域５４よりも広い領域が厚い記録材束４２における記録材同士の結着に寄与することになる。これは、低歯領域と高歯領域が歯並び方向において隣接しない場合と同等の結着に寄与する領域を得るための歯列の歯並び方向の長さが短くて済むことを意味する。
【００４４】
図２に示す実施形態のように、中央部に低歯領域５２が、両側端部に高歯領域５４が配置される場合、記録材束４２を綴じる際に、まず両側端部にて記録材束４２が挟まれるので、低歯領域５２内から高歯領域５４内に引き込まれる記録材は少ない。このため、薄い記録材束４２の綴じに対する高歯領域５４の貢献は、一方の端部のみに高歯領域５４を配置した歯列の構成に比べて少なくなる。一方、高歯領域５４では、より外側、つまり低歯領域５２とは反対側から記録材束４２が引き込まれるので、結着に関係する記録材の長さは十分に確保される。つまり、記録材束４２は、低歯領域５２よりも高歯領域５４に引き込まれやすく、結着に関連する記録材の長さに関して、高歯領域５４の方が有利となる。このため、高歯領域５４に属する歯の数を、低歯領域５２に属する歯の数より少なくし得る。また、上側歯列３８と下側歯列４０の一方または両方の歯並び方向の長さを短くし得る。
【００４５】
また、記録材同士の結着には、歯の連続数が寄与する場合がある。前述のように中央部に低歯領域５２が形成される場合、高歯領域５４の方が結着に関して相対的に有利であるから、高歯領域５４における歯の連続数を低歯領域５２における歯の連続数よりも小さくし得る。また、上側歯列３８と下側歯列４０の一方または両方の歯並び方向の長さを短くし得る。
【００４６】
図８は、下側歯型の他の形態を示す図である。上側歯型は前述の上側歯型３４と同じであり、上側歯型３４に属する構成要素については、前述の符号を流用して説明する。この形態の下側歯型６４は、異なる歯丈の歯を有する下側歯列６６を有する。下側歯列６６の中央部には、高い歯丈ｈtを有する歯（高歯）６８が配列される。高歯６８の両側には低い歯丈ｈsを有する歯（低歯）７０が配列される（ｈs＜ｈt）。以下、下側歯列６６の高歯６８を下側高歯６８、低歯７０を下側低歯７０と記す。また、各歯の歯幅は共通である。
【００４７】
噛み合わせたとき、上側高歯５０と下側低歯７０は小さい重なり噛み合い量ｄsを形成し、上側高歯５０と下側高歯６８は、重なり噛み合い量ｄsより大きな重なり噛み合い量ｄtを形成する（ｄs＜ｄt）。したがって、上側高歯５０と下側低歯７０の組合せは記録材束４２が薄い場合に適し、上側高歯５０と下側高歯６８の組合せは記録材束４２が厚い場合に適する。図８に示す実施形態においては、歯列３８，６６の中央に大きい噛み合い重なり量ｄtの高歯領域７２が形成され、歯並び方向において高歯領域７２の両側に隣接して小さい噛み合い重なり量ｄsの低歯領域７４が形成される。高歯領域７２と低歯領域７４の境界は、下側歯列６６においては隣接する下側高歯６８と下側低歯７０の間の歯底で規定され、上側歯列３８においては前記の歯底に対応する歯の歯先（頂点）または歯並び方向における歯の中心線で規定される。低歯領域７４のもう一方の境界は、下側歯列６６の両端の歯の歯並び方向における歯の中心線で規定される。下側歯列６６の両端の歯の外側の歯面は、記録材束４２の挟持に関係しないので、この歯面は低歯領域に含まない。前述のように、高歯領域７２は厚い記録材束４２に対応した領域であり、低歯領域７４は薄い記録材束４２に対応した領域である。
【００４８】
図８の例において、高歯領域７２に属する歯の数は６歯であり、２つある低歯領域７４の一方に属する歯の数は２．５歯である。低歯領域７４全体としては、５（＝２．５＋２．５）歯である。
【００４９】
下側高歯６８と下側低歯７０の歯丈の差は、例えば０．２〜０．３ｍｍである。低歯領域を形成するために、図５に関して前述したのと同様に、上側歯列３８と下側歯列６６の双方の歯の歯丈を低くしてもよい。この場合、一方の歯列のみ低歯を設けた場合の寸法差を上下の歯列３８，６６の歯に振り分ける。双方に等しく（例えば０．１５ｍｍずつ）振り分けてもよく、また０．１ｍｍと０．２ｍｍなど異なる値で振り分けてもよい。
【００５０】
上下の歯列３８，６６の双方に低歯を設ける場合、前述のように噛み合い重なり量が異なる３つの領域が形成される。中間の噛み合い重なり量を有する遷移領域の歯並び方向における中央を便宜的に高歯領域７２と低歯領域７４の境界とする。
【００５１】
図８に示す実施形態のように、中央部に高歯領域７２が、両側端部に低歯領域７４が配置される場合、記録材束４２を綴じる際に、まず中央部の高歯領域７２において記録材束４２が挟持され、記録材の変形が始まる。高歯領域７２の記録材の変形により、低歯領域７４内の記録材束４２の一部が高歯領域７２に引き込まれる。低歯領域７４内および低歯領域７４より更に外側にある記録材束４２は拘束されていないため、拘束を受けているときよりも多くの量の記録材束４２が高歯領域７２内に引き込まれる。このため、高歯領域７２における隣接する低歯領域７４との境界付近の記録材の伸びが抑制され、薄い記録材束４２を綴じるとき破れが抑制され、厚い記録材束４２を綴じるための高歯領域７２でも、その一部において薄い記録材束４２の綴じに貢献するようになる。一方で、低歯領域７４における隣接する高歯領域７２との境界付近の記録材は、反対側の境界、または歯列３８，６６の外側にて拘束されていないため、拘束されている場合に比べ伸びず、厚い記録材束４２の綴じへの貢献は限定的となる。つまり、記録材の伸びに関し、高歯領域７２の端部での伸びの抑制が有利に作用し、薄い記録材束４２を綴じる際に、実質的に綴じに貢献する領域が、物理的な低歯領域７４より大きくなる。このため、低歯領域７４に属する歯の数を、高歯領域７２に属する歯の数より少なくし得る。また、上側歯列３８と下側歯列６６の一方または両方の歯並び方向の長さを短くし得る。
【００５２】
また、記録材同士の結着には、歯の連続数が寄与する場合がある。前述のように中央部に高歯領域７２が形成される場合、高歯領域７２の一部が薄い記録材束４２の綴じに貢献することから、薄い記録材束４２に対応する低歯領域７４における歯の連続数を高歯領域７２における歯の連続数よりも小さくし得る。また、上側歯列３８と下側歯列６６の一方または両方の歯並び方向の長さを短くし得る。
【００５３】
上述の実施形態においては、各歯の歯底をそろえ歯先の位置により歯丈および噛み合い重なり量の定めたが、これに限らず、例えば歯先をそろえ、歯底に位置により歯丈及び噛み合い重なり量を定めてもよい。
【符号の説明】
【００５４】
１０  記録材綴じ装置、１２  画像形成システム、１４  画像形成装置、１６  記録材後処理装置、１８  画像形成部、２０  原稿読み取り部、２２  記録材送り機構、２４  供給トレイ、２６  排出口、２８  搬送路、３０  集積トレイ、３２  排出トレイ、３４  上側歯型、３６  下側歯型、３８  上側歯列、４０  下側歯列、４２  記録材束、４６  下側低歯、４８  下側高歯、５０  上側高歯、５２  低歯領域（第１領域）、５４  高歯領域（第２領域）、５６  低歯、５８  低歯、６０  遷移領域、６２  境界、６４  下側歯型、６６  下側歯列、６８  下側高歯、７０  下側低歯、７２  高歯領域、７４  低歯領域。
【図１】
2018158782.tif 000003
【図２】
2018158782.tif 000004
【図３】
2018158782.tif 000005
【図４】
2018158782.tif 000006
【図５】
2018158782.tif 000007
【図６】
2018158782.tif 000008
【図７】
2018158782.tif 000009
【図８】
2018158782.tif 000010